(57)【要約】【課題】  建築物の開口部における枠体の連結構造において、連結される枠体の見込寸法が異なるような場合であっても、連結部材の形状を変更することなく、各枠体の見込位置が揃っているように見えるものとする。【解決手段】  第一連結枠体６と、第二連結枠体７を連結部材４で連結するにあたり、第一連結枠体６の外面部６ａを、第二連結枠体７の外面部７ａよりも外部側に位置したものとし、第二連結枠体７の外面部７ａには、内外方向に幅を有するスペーサ１４が取り付けられ、第一連結枠体６の外面部６ａとスペーサ１４の外面部１４ａとは、少なくとも一部が外部側から視認可能であるものとした。【選択図】図３
2020133307.tif 000002
【特許請求の範囲】
【請求項１】
建築物の開口部に隣り合って配設されて内外を仕切る第一パネル体と第二パネル体とを連結する連結部材を有し、
前記第一パネル体は、連結部材に対して取り付けられる第一連結枠体を連結部材側の端部に備え、
前記第二パネル体は、連結部材に対して取り付けられる第二連結枠体を連結部材側の端部に備え、
前記第一連結枠体と第二連結枠体とは、あいだに配された前記連結部材を介して連結された、枠体の連結構造において、
前記第一連結枠体の外面部は、第二連結枠体の外面部よりも外方に位置し、
前記第二連結枠体の外面部には、内外方向に幅を有するスペーサが取り付けられており、
前記第一連結枠体の外面部と前記スペーサの外面部とは、少なくとも一部が外方から視認可能であることを特徴とする枠体の連結構造。
【請求項２】
前記スペーサは、外面部が前記第一連結枠体の外面部と内外方向に略同位置となるよう配されていることを特徴とする請求項１記載の枠体の連結構造。
【請求項３】
前記スペーサと前記第二連結枠体とは、前記連結部材と反対側の側面部が面一状であることを特徴とする請求項１又は２に記載の枠体の連結構造。
【請求項４】
前記スペーサには、前記第二連結枠体への取付端部に止水材が配されていることを特徴とする請求項１〜３の何れか１に記載の枠体の連結構造。
【請求項５】
前記スペーサは、第一スペーサ部材と第二スペーサ部材とによって構成されており、
前記第一スペーサ部材は、前記止水材を配するための止水材保持部を有しており、
前記第二スペーサ部材は、前記止水材保持部を前記第二連結枠体の外面部に向けて外方から押圧する押圧部を有していることを特徴とする請求項４に記載の枠体の連結構造。
【請求項６】
前記スペーサには、前記第二連結枠体の連結部材側の面部に当接する突部が設けられていることを特徴とする請求項１〜５の何れか１記載の枠体の連結構造。
【請求項７】
建築物の開口部に、内外を仕切る第一パネル体と第二パネル体とを隣り合わせて配設するために連結部材で連結するに際し、
前記第一パネル体は、連結部材に対して取り付けられる第一連結枠体を連結部材側の端部に備え、
前記第二パネル体は、連結部材に対して取り付けられる第二連結枠体を連結部材側の端部に備えたものとし、
前記第一連結枠体と第二連結枠体とを、あいだに配した前記連結部材を介して連結するにあたり、
前記第一連結枠体の外面部を、第二連結枠体の外面部よりも外方に配する工程と、
第二連結枠体の外面部に、内外方向に幅を有するスペーサを取り付ける工程と、
前記第一連結枠体の外面部と前記スペーサの外面部とを、少なくとも一部が露出して外方から視認可能に配設する工程と、を有することを特徴とする枠体の連結構造の施工方法。
【請求項８】
前記スペーサは、第一スペーサ部材と第二スペーサ部材とからなるものとし、
前記第一スペーサ部材は、スペーサの外面部を構成しており、
前記第二連結枠体の外面部に前記第二スペーサ部材を第一ネジによって外方からネジ止めした後に、
前記第一スペーサ部材を前記第二スペーサ部材に対して前記第一ネジが外方に露出しないよう取り付けることを特徴とする請求項７記載の枠体の連結構造の施工方法。
【請求項９】
前記第一スペーサ部材を、前記第二スペーサ部材に対して第二ネジが外方に露出しないよう、内方からネジ止めすることを特徴とする請求項８記載の枠体の連結構造の施工方法。
【発明の詳細な説明】
【技術分野】
【０００１】
本発明は、建築物の枠体の連結構造とその施工方法に関する。
【背景技術】
【０００２】
一般に、建築物の開口部に複数のサッシ等のパネル体の枠体を隣接して配設するに際し、方立や無目といった連結部材をあいだに介して、隣接する枠体同士を連結させるものが知られている（特許文献１参照）。そして、連結部材で連結される枠体の見込寸法が異なる場合、例えば室内側で枠体同士の見込位置を揃えて連結部材に取り付けると、室外側では枠体同士の見込位置が異なってしまうため、外観上好ましくない場合がある。そこで、連結される枠体の構造を連結部材に合わせた形状とすることにより、視認部分における枠体同士の見込位置を揃えたものが知られている（特許文献２参照）。
【先行技術文献】
【特許文献】
【０００３】
【特許文献１】特開２０１５−１１２０号公報
【特許文献２】特開平１−６４８９号公報
【発明の概要】
【発明が解決しようとする課題】
【０００４】
しかしながら、特許文献２に記載されたもののように、枠体の構造を種々の連結部材の形状や見込寸法に合わせて設計するものとすると、パネル体の汎用性が低くなるという問題がある。他方、連結部材を各枠体に合わせた形状とするように設計すると、連結部材の汎用性が低くなってしまう。そこで、見込寸法が異なる２つの枠体を連結するに際して、枠体と連結部材に汎用性をもたせたうえで、視認部分において各枠体の見込位置が揃っているように見えることが可能な枠体の連結構造を提供することが望まれている。
【課題を解決するための手段】
【０００５】
本発明は、上記の課題を解決するため鋭意創作されたものであって、請求項１の発明は、建築物の開口部に隣り合って配設されて内外を仕切る第一パネル体と第二パネル体とを連結する連結部材を有し、前記第一パネル体は、連結部材に対して取り付けられる第一連結枠体を連結部材側の端部に備え、前記第二パネル体は、連結部材に対して取り付けられる第二連結枠体を連結部材側の端部に備え、前記第一連結枠体と第二連結枠体とは、あいだに配された前記連結部材を介して連結された、枠体の連結構造において、前記第一連結枠体の外面部は、第二連結枠体の外面部よりも外方に位置し、前記第二連結枠体の外面部には、内外方向に幅を有するスペーサが取り付けられており、前記第一連結枠体の外面部と前記スペーサの外面部とは、少なくとも一部が外方から視認可能であることを特徴とする枠体の連結構造である。
請求項２の発明は、前記スペーサは、外面部が前記第一連結枠体の外面部と内外方向に略同位置となるよう配されていることを特徴とする請求項１記載の枠体の連結構造である。
請求項３の発明は、前記スペーサと前記第二連結枠体とは、前記連結部材と反対側の側面部が面一状であることを特徴とする請求項１又は２に記載の枠体の連結構造である。
請求項４の発明は、前記スペーサには、前記第二連結枠体への取付端部に止水材が配されていることを特徴とする請求項１〜３の何れか１に記載の枠体の連結構造である。
請求項５の発明は、前記スペーサは、第一スペーサ部材と第二スペーサ部材とによって構成されており、前記第一スペーサ部材は、前記止水材を配するための止水材保持部を有しており、前記第二スペーサ部材は、前記止水材保持部を前記第二連結枠体の外面部に向けて外方から押圧する押圧部を有していることを特徴とする請求項４に記載の枠体の連結構造である。
請求項６の発明は、前記スペーサには、前記第二連結枠体の連結部材側の面部に当接する突部が設けられていることを特徴とする請求項１〜５の何れか１記載の枠体の連結構造である。
請求項７の発明は、建築物の開口部に、内外を仕切る第一パネル体と第二パネル体とを隣り合わせて配設するために連結部材で連結するに際し、前記第一パネル体は、連結部材に対して取り付けられる第一連結枠体を連結部材側の端部に備え、前記第二パネル体は、連結部材に対して取り付けられる第二連結枠体を連結部材側の端部に備えたものとし、前記第一連結枠体と第二連結枠体とを、あいだに配した前記連結部材を介して連結するにあたり、前記第一連結枠体の外面部を、第二連結枠体の外面部よりも外方に配する工程と、第二連結枠体の外面部に、内外方向に幅を有するスペーサを取り付ける工程と、前記第一連結枠体の外面部と前記スペーサの外面部とを、少なくとも一部が露出して外方から視認可能に配設する工程と、を有することを特徴とする枠体の連結構造の施工方法である。
請求項８の発明は、前記スペーサは、第一スペーサ部材と第二スペーサ部材とからなるものとし、前記第一スペーサ部材は、スペーサの外面部を構成しており、前記第二連結枠体の外面部に前記第二スペーサ部材を第一ネジによって外方からネジ止めした後に、前記第一スペーサ部材を前記第二スペーサ部材に対して前記第一ネジが外方に露出しないよう取り付けることを特徴とする請求項８記載の枠体の連結構造の施工方法である。
請求項９の発明は、前記第一スペーサ部材を、前記第二スペーサ部材に対して第二ネジが外方に露出しないよう、内方からネジ止めすることを特徴とする請求項９記載の枠体の連結構造の施工方法である。
【発明の効果】
【０００６】
請求項１、２、７の発明とすることにより、第一連結枠体と第二連結枠体の外面部の内外位置が異なるような場合であっても、スペーサを配することで、各枠体や連結部材の形態に変更を加えることなく、外方からの視認部分において各枠体の内外位置が揃っているように見えるようにすることが可能となる。
請求項３の発明とすることにより、スペーサと第二連結枠体が一体的な外観性を有するものとすることができる。
請求項４、５の発明とすることにより、スペーサと第二連結枠体とのあいだの止水性能が向上したものとすることができる。
請求項６の発明とすることにより、突部によってスペーサを第二連結枠体に取り付ける際の位置決めを容易なものとすることができる。
請求項８、９の発明とすることにより、スペーサを第二連結枠体に取り付けるに際し、ネジが露出しないものとすることができるため、外観性を向上させることができる。
【図面の簡単な説明】
【０００７】
【図１】開口部に取り付けられたパネル体全体の正面図である。
【図２】図１のＸ−Ｘ断面図である。
【図３】図２の方立部分の拡大図である。
【図４】図２のスペーサ部分の拡大図である。
【図５】図４の要部の見込寸法の関係を示す図である。
【図６】（Ａ）（Ｂ）スペーサの斜視図である。
【図７】上部スペーサの取付例を示す縦断面図である。
【図８】取付鋼材への枠体の連結構造についての変形例を示す平面図である。
【図９】（Ａ）第一連結枠体同士を連結させる場合、（Ｂ）第二連結枠体同士を連結させる場合の連結構造を示す平面図である。
【発明を実施するための形態】
【０００８】
以下、本発明の実施形態について、図面に基づいて詳細に説明する。図１、２に示されるように、建築物の開口部Ｏに、隣り合う第一パネル体２と第二パネル体３とが室内外を仕切って配設されている。室外側から視て右側に第一パネル体２、左側に第二パネル体３が配され、その間には連結部材に相当する方立４が配されており、方立４によって第一パネル体２と第二パネル体３とが連結されている。
【０００９】
本実施形態における第一パネル体２及び第二パネル体３は、いずれも耐熱ガラス２ａ、３ａの四周をサッシ枠２ｂ、３ｂによって囲繞されたＦＩＸ窓である。サッシ枠２ｂ、３ｂはいずれもアルミ材からなる枠体である。そして、各サッシ枠２ｂ、３ｂにおいて、方立４に連結される縦枠が、それぞれ第一連結枠体６（左縦枠）、第二連結枠体７（右縦枠）である。すなわち、方立４が、第一パネル体２の第一連結枠体６と、第二パネル体３の第二連結枠体７とを連結することで、枠体の連結構造１が構成されている。なお、各パネル体２、３はＦＩＸ窓に限られるものではなく、例えば開閉窓やドア等の開閉体であってもよく、第一パネル体２と第二パネル体３とでそれぞれ異なる機能を有するものであってもよい。
【００１０】
第一連結枠体６は、室外側（正面側）に外面部６ａを、室内側（背面側）に内面部６ｂを備えており、方立４側の側面（左側面）には、後述する係合部材８と係合するために開口した係合部６ｃが形成されている。さらに、耐熱ガラス２ａを保持するための受け部６ｄが、方立４と反対側の側面（右側面）に形成されている。
【００１１】
同様に、第二連結枠体７は、室外側に外面部７ａ、室内側に内面部７ｂを備えており、方立４側の側面（右側面）には係合部材８と係合するための係合部７ｃが、方立４と反対側の側面（左側面）には、耐熱ガラス３ａを保持するための受け部７ｄが形成されている。そして、特に図４に示されているように、第一連結枠体６の見込寸法Ｌ１は、第二連結枠体７の見込寸法Ｌ２より大きく設計されている。
【００１２】
図３に示されるように、方立４は、取付鋼材９と、取付鋼材９の室内側（背面側）に配された防火被覆１０と、取付鋼材９と防火被覆１０とを接続する接続部材１１を備えて構成されている。取付鋼材９は、２つのコ字状の鋼材を対向させることで、中空な方形状に構成された上下に長尺な鋼材である。取付鋼材９の各側面９ａには、それぞれ係合部材８が溶接され、その間に溶接部９ｂが形成されている。係合部材８は、内外端部において、第一連結枠体６、第二連結枠体７の開口した係合部６ｃ、７ｃの端部を左右方向から挟み込むように係合することで、取付鋼材９に第一連結枠体６、第二連結枠体７が連結されている。
【００１３】
なお、取付鋼材９と第一、第二連結枠体６、７との連結は、溶接した係合部材８を介したものに限られない。例えば、図８に示すように、各枠体６、７と取付鋼材９のあいだにそれぞれ鋼材からなる連結鋼材８ａを配し、連結鋼材８ａと受け部６ｄ、７ｄの底部をネジ止めするとともに、取付鋼材９の各側面９ａと連結鋼材８ａをネジ止めすることで、取付鋼材９と第一、第二連結枠体６、７とを連結したものとしてもよい。あるいは、取付鋼材９と各枠体６、７を直接ネジ止めして連結したものとすることもできる。これらの場合には、溶接が不要となって作業性に優れる。
【００１４】
防火被覆１０は、ケイ酸カルシウム板からなる耐火材であり、右左両端部が第一パネル体２、第二パネル体３の方立４側の端部と正面視で重なり合うよう構成されている。接続部材１１は、平板状の平板面部１１ａと、その右左両端部から室内側に延出した側面部１１ｂとによって平面視で略冂字形状に構成された、上下に長尺な金属部材である。接続部材１１の平板面部１１ａは、取付鋼材９と防火被覆１０のあいだに配されて、取付鋼材９に対して室内側からネジ止めされている。防火被覆１０は、前端部が接続部材１１によって覆われている。
【００１５】
接続部材１１の両側面部１１ｂには、Ｌ字状の留め付け金具１２がネジ止めされており、これによって防火被覆１０の側面部及び内面部が保持されている。さらに、接続部材１１の両側面部１１ｂと、留め付け金具１２の外周とを覆う、上下に長尺な内部カバー１３が、これらと一体にネジ止めされている。この内部カバー１３によって、防火被覆１０が室内側で露出しないように配慮されている。
【００１６】
接続部材１１の平板面部１１ａの右左端部は、第一連結枠体６の内面部６ｂ、第二連結枠体７の内面部７ｂに対して面接触した状態でネジ止めされている。これによって、第一連結枠体６と第二連結枠体７とは、各内面部６ｂ、７ｂが内外方向（見込方向）で略同位置で方立４に対して取り付けられることとなる。したがって、第一連結枠体６の外面部６ａは、第二連結枠体７の外面部７ａに対し、室外側にＬ１−Ｌ２だけ突出した位置に配されていることとなる。
【００１７】
このように、防火設備としての第一パネル体２、第二パネル体３同士を連結させるに際しては、防火被覆１０側に第一、第二連結枠体６、７の内面部６ｂ、７ｂを合わせることが望まれる。したがって、見込寸法の異なる枠体６、７同士を方立４によって連結しようとすると、各枠体６、７の外面部６ａ、７ａの内外位置が異なることとなる。
【００１８】
そこで、第二連結枠体７の外面部７ａには、第一連結枠体６の外面部６ａと内外方向に略同位置となるよう外面部１４ａが配されたスペーサ１４が取り付けられている。スペーサ１４は、第一連結枠体６、第二連結枠体７と同じアルミ材からなり、第一スペーサ部材１５と第二スペーサ部材１６とが係合して構成され、内外方向にＬ１−Ｌ２の幅を有している。したがって、図４に示されるように、スペーサ１４は、外面部１４ａが第一連結枠体６の外面部６ａと内外方向に略同位置となるように配されることとなる。これによって、あたかもスペーサ１４の外面部１４ａが第二パネル体３の第二連結枠体７の外面部７ａであるかのような外観性が付与され、各枠体６、７の外面部６ａ、７ａの内外方向の位置が揃っているように見えることとなる。
【００１９】
図５、６に示されるように、第一スペーサ部材１５は、スペーサ１４の外面部１４ａを構成する外面部１５ａと、外面部１５ａの方立４側端部から室内側に延出した右側面部１５ｂと、外面部１５ａの方立４と反対側の端部から室内側に延出し、室内側端部で第二連結枠体の外面部７ａと当接する左側面部１５ｃと、を備えて構成されている。右側面部１５ｂの室内側端部には、右側（方立４側）に向けて突出して、後述する第二スペーサ部材１６の係合片１６ｂに嵌入する係合突部１５ｄと、スペーサ１４の内部側である左側に向けて突出し、第二スペーサ部材１５と一体にネジ止めされる受け部１５ｅと、が形成されている。
【００２０】
また、第二連結枠体７の外面部７ａの左端部と当接する、第一スペーサ部材１５の左側面部１５ｃの室内側端部は取付端部１５ｆであって、止水材１７を保持する止水材保持部１５ｇを有している。止水材保持部１５ｇは、取付端部１５ｆのスペーサ１４内部側に位置し、室内側が開口して内部に止水材１７を充填・保持できるようになっている。保持された止水材１７は、第二連結枠体７の外面部７ａに室外側から当接することとなり、止水性能が発揮されるようになっている。さらに、左側面部１５ｃのスペーサ１４内部側には、ネジ受け部１５ｈが形成されている。このネジ受け部１５ｈは、後述するように第二パネル体３のサッシ枠３ｂの上枠３ｄに左右方向に取り付けられた上部スペーサ２４と連結するに際して、ネジを受けるために設けられている。
【００２１】
第二スペーサ部材１６は、スペーサ１４の内面部１４ｂを構成する平板状の平板部１６ａと、平板部１６ａの右端部に設けられて第一スペーサ部材１５の係合突部１５ｄを嵌入して係合可能なコ字状の係合片１６ｂと、平板部１６ａの左端部に設けられて止水材保持部１５ｇを室内側に向けて押圧する逆Ｌ字状の押圧部１６ｃと、を備えている。押圧部１６ｃによって止水材保持部１５ｇが押圧されることで、保持された止水材１７がより強く第二連結枠体７の外面部７ａに押圧されることとなり、スペーサ１４と第二連結枠体７とのあいだの止水性能が向上する。
【００２２】
また、第二スペーサ部材１６には、第二連結枠体６の室外側の右側面部に当接する突部１６ｄが平板部１６ａから室内側に向けて突設されている。この突部１６ｄを第二連結枠体７に当接させることにより、スペーサ１４の位置決めが容易なものとなっている。また、突部１６ｄからスペーサ１４の左端部までの長さが第二連結枠体７の外面部７ａの左右長さと等しくなっており、これによって突部１６ｄを第二連結枠体７に当接させて位置決めをしたときに、スペーサ１４と第二連結枠体７とが、方立４と反対側の側面（左側面）で面一状に連結されている。
【００２３】
第二連結枠体７へのスペーサ１４の取り付け方法は、以下のようになされる。まず、第二連結枠体７に第二スペーサ部材１６の突部１６ｄを当接させて位置決めをした状態で、第二スペーサ部材１６の平板部１６ａを第二連結枠体７の外面部７ａに面接触させる。この状態で、第一ネジ１８によって室外側から平板部１６ａを外面部７ａにネジ止めする。その後、第一スペーサ部材１５の係合突部１５ｄを第二スペーサ部材１６の係合片１６ｂに嵌入して係合させるとともに、止水材１７が保持された止水材保持部１５ｇを押圧部１６ｃ内に押圧状に組み入れる。この状態で、第一スペーサ部材１５の受け部１５ｅと第二スペーサ部材１６の平板部１６ａの右端部とを、室内側から第二ネジ１９によってネジ止めする。このように取り付けると、第一ネジ１８及び第二ネジ１９が、いずれも第一スペーサ部材１５の外面部１５ａによって覆蓋されるため、外部に露出しない構造となっている。
【００２４】
方立４はさらに、取付鋼材９の室外側端部に取り付けられた外面部２０を有している。外面部２０は、平面視で室外側が開口した逆凸字状の外面部材２１と、外面部材２１のさらに室外側で方立４の室外側を覆蓋する外部カバー２２と、を備えて構成されている。外面部材２１は、室外側の幅広部２１ａが第一連結枠体６の外面部６ａ、スペーサ１４の外面部１４ａよりも室外側に突出して右左に延出している一方、室内側の幅狭部２１ｂの内面部が取付鋼材９の外面部にネジ止めされている。また、外部カバー２２は、外面部材２１の幅広部２１ａよりもさらに左右に延出して方立４の室外側を覆蓋するとともに、室外側から視て、第一連結枠体６の外面部６ａ、第二連結枠体７の外面部７ａ、スペーサ１４の外面部１４ａの方立４側の端部と重なり合うようになっている。これによって、室外側から各連結枠体６、７と方立４との連結部位が視認されず、外観性に優れる。また、第一連結枠体６の外面部６ａ、スペーサ１４の外面部１４ａと、外部カバー２２の左右への延出部位とのあいだには、それぞれコーキング材２３が充填されている。コーキング材２３も、左右に延出した外部カバー２２によって室外側からは視認されないよう配慮されている。
【００２５】
なお、このような方立４の構造は、見込寸法が異なる第一連結枠体６、第二連結枠体７を連結させる場合に限られず、見込寸法が同じ場合にも用いることができる。例えば、左右ともに第一パネル体２（すなわち、第一連結枠体６）を連結させる場合には、図９（Ａ）のように、本実施形態と同形状の方立４を用いて各第一連結枠体６を連結させることができる。他方、左右ともに第二パネル体３（すなわち、第二連結枠体７）を連結させる場合には、図９（Ｂ）のように、外面部４０の形状、特に外面部材４１の形状を変形したものを採用することで、スペーサ１４を用いずに各第二連結枠体７を連結させることができる。この際、外部カバー２２は共通のものを採用することができる。この外面部材４１は、本実施形態の外面部材２１に対して、幅狭部４１ｂの内外長さが短尺なものとなっている。もっとも、本実施形態と同形状の方立４に、ともにスペーサ１４を取り付けた第二連結枠体７を連結させたものとすることもできる。
【００２６】
第二パネル体３のサッシ枠３ｂの左縦枠３ｃには、第二連結枠体７と同様に外面部にスペーサ１４が取り付けられている（図１、２参照）。さらに、サッシ枠３ｂの上枠３ｄの外面部にも、スペーサ１４と断面同形状の上部スペーサ２４が左右方向にわたって取り付けられている（図１、７参照）。上部スペーサ２４の左右端部は、スペーサ１４の側面部にネジ止めされている。この際、スペーサ１４の内部から上部スペーサ２４のネジ受け部（スペーサ１４のネジ受け部１５ｅに相当）に対して、ネジが螺入されるようになっている。このように、第二パネル体３のサッシ枠３ｂには、下部を除く３周にスペーサ１４及び上部スペーサ２４が取り付けられているため、サッシ枠３ｂにおいて外面部の内外方向の位置がそろって外観性に優れる。さらに、連結された第一パネル体２のサッシ枠２ｂの外面部とも内外方向の位置がそろうため、連結された第一パネル体２、第二パネル体３を含めた構造全体として、外観性に統一感を与えることができる。なお、第二パネル体３のサッシ枠３ｂの下枠にも上部スペーサ２４を取り付けたものとしてもよい。
【００２７】
叙述の如く構成された本実施形態に係る枠体の連結構造１において、建築物の開口部Ｏに左右に隣り合って配設され、室内外を仕切る第一パネル体２と第二パネル体３とが、連結部材である方立４によって連結されている。第一連結枠体６の外面部６ａは、第二連結枠体７の外面部７ａよりも外側に位置しているが、第二連結枠体７の外面部７ａには、内外方向に幅を有するスペーサ１４が取り付けられており、特に、第一連結枠体６の外面部６ａとスペーサ１４の外面部１４ａが内外方向に略同位置となるように設計されている。そして、第一連結枠体６の外面部６ａとスペーサ１４の外面部１４ａとは、左右方向で方立４と反対側の端部側が、方立４の外面部２０の左右端部よりも左右に広がった位置にあるため、室外側から視て外面部２０とは重ならず、視認可能となっている。したがって、第一連結枠体６と第二連結枠体７の各外面部６ａ、７ａの内外方向の位置が異なる場合であっても、スペーサ１４を配することにより、方立４や各枠体６、７の形態を変更せずに汎用性をもたせたまま、室外側からの視認部分において各枠体の内外位置が揃っているように見えるようにすることが可能となっている。
【００２８】
また、スペーサ１４と第二連結枠体６とは、方立４と反対側の側面部である左側面部が、面一状となっているため、スペーサ１４と第二連結枠体７が一体的な外観性を有するものとなっている。
【００２９】
さらに、スペーサ１４は第一スペーサ部材１５と第二スペーサ部材１６とによって構成され、第一スペーサ部材には、第二連結枠体７への取付端部１５ｆに止水材１７を配するための止水材保持部１５ｇを有している。第二スペーサ部材１６は、止水材保持部１５ｇを第二連結枠体７の外面部７ａに向けて室外側から押圧する押圧部１６ｃを有している。これによって、スペーサ１４と第二連結枠体７とのあいだの止水性能が向上したものとなっている。
【００３０】
また、第二スペーサ部材１６には、第二連結枠体７の連結部材側の面部である右側面部に当接する突部１６ｄが設けられているため、スペーサ１４を第二連結枠体７に取り付ける際の位置決めが容易なものとなっている。
【００３１】
このような枠体の連結構造１の施工方法は、第一連結枠体６の外面部６ａを、第二連結枠体７の外面部７ａよりも室外側に配する工程と、第二連結枠体７の外面部７ａにスペーサ１４を取り付ける工程と、第一連結枠体６の外面部６ａとスペーサ１４の外面部１４ａとを、少なくとも一部が露出して室外側から視認可能に配設する工程を有したものである。
【００３２】
そして、第二連結枠体７の外面部７ａに、第二スペーサ部材１６の平板部１６ａを第一ネジ１８によって室内側からネジ止めした後、スペーサ１４の外面部１４ａを構成する第一スペーサ部材１５を第二スペーサ１６に対して取り付けることで、スペーサ１４内部に第一ネジ１８が配されることとなって、第一ネジ１８が外方に露出しないように取り付けられているため、外観性が優れたものとすることができる。
【００３３】
さらに、第一スペーサ部材１５のスペーサ１４内部側に延出したネジ受け部１５ｅと、第二スペーサ部材１６の平板部１６ａとを第二ネジ１９によって室内側からネジ止めすることで、第二ネジ１９も室外側に露出せず、外観性が優れたものとすることができる。
【００３４】
なお、本実施形態では左右に隣り合った各パネル体を上下に長尺な連結部材である方立によって連結したものとしているが、上下に隣り合った各パネル体を、左右に長尺な連結部材（すなわち、無目）によって連結したものとすることもできる。
【００３５】
また、本実施形態では防火設備同士を連結する方立による構造としているが、本発明は必ずしもこれに限られない。さらに、第一連結枠体の外面部と第二連結枠体の外面部の内外方向の位置が異なったものであればよく、必ずしも各内面部の内外方向の位置が揃っていなくてもよい。その他、本発明は上記本実施形態で説明された具体的な形態等に限定されるものではない。
【産業上の利用可能性】
【００３６】
本発明は、建築物の開口部に設けられる枠体に係る分野に利用可能である。
【符号の説明】
【００３７】
１    連結構造
２    第一パネル体
３    第二パネル体
４    方立（連結部材）
６    第一連結枠体
６ａ  外面部
７    第二連結枠体
７ａ  外面部
１４    スペーサ
１４ａ  外面部
１５    第一スペーサ部材
１５ｇ  止水材保持部
１６    第二スペーサ部材
１６ｃ  押圧部
１６ｄ  突部
１７    止水材
１８    第一ネジ
１９    第二ネジ
２０    （連結部材の）外面部
Ｏ    開口部
【図１】
2020133307.tif 000003
【図２】
2020133307.tif 000004
【図３】
2020133307.tif 000005
【図４】
2020133307.tif 000006
【図５】
2020133307.tif 000007
【図６】
2020133307.tif 000008
【図７】
2020133307.tif 000009
【図８】
2020133307.tif 000010
【図９】
2020133307.tif 000011